Podtech/llm-jp-corpus-v4-ja_patent huggingface dataset:
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
第１の端部と第２の端部と、それらの間に延びる少なくとも１つの直線状排気とを有する本体と、
前記本体の前記第１の端部と前記少なくとも１つの直線状排気とに隣接して配設された可撓性保持キャップとを備え、前記直線状排気は回転力の作用の下で排気バルブを自己清掃を行い、且つ前記本体と可撓性保持キャップは、ガス透過性材料と非透過性材料の組み合わせから成ることを特徴とする排気バルブ。
【請求項２】
前記本体および前記可撓性保持キャップが透過性材料製であることを特徴とする請求項１に記載の排気バルブ。
【請求項３】
前記本体および前記可撓性保持キャップがフッ化シリコン材料製であることを特徴とする請求項１に記載の排気バルブ。
【請求項４】
前記本体および前記可撓性保持キャップがガス透過性であることを特徴とする請求項１に記載の排気バルブ。
【請求項５】
前記少なくとも１つの直線状排気が１つの平坦部であることを特徴とする請求項１に記載の排気バルブ。
【請求項６】
前記少なくとも１つの直線的排気が前記本体に沿って延びる傾斜部を有することを特徴とする請求項１に記載の排気バルブ。
【請求項７】
前記可撓性保持キャップが雨傘形またはマッシュルーム形であることを特徴とする請求項１に記載の排気バルブ。
【請求項８】
前記本体および前記可撓性保持キャップが四フッ化ポリエチレン重合体製であることを特徴とする請求項４に記載の排気バルブ。
【請求項９】
互いに交差する２つの平坦部を備えることを特徴とする請求項５に記載の排気バルブ。
【請求項１０】
内部チャンバと前記継手チャンバと連通する排気開口部を形成する排気プレートとを有する定速度継手と、前記排気開口部に取り付けられた排気バルブとから構成され；
前記排気バルブは、第１の端部と第２の端部と、それらの間に延びる少なくとも１つの直線的排気とを有する本体と、
前記本体の前記第１の端部と前記少なくとも１つの直線的排気とに隣接して配設された可撓性保持キャップとを備え、前記直線的排気は回転力の作用の下で前記排気バルブを自己清掃するようになされた定速度継手を備えることを特徴とする定速度継手排気システム。
【請求項１１】
前記可撓性保持キャップが、前記排気開口部より大きな表面積を有することを特徴とする請求項１０に記載の定速度継手排気システム。
【請求項１２】
前記排気プレートが、オフセットまたは凹部を有することを特徴とする請求項１０に記載の定速度継手排気システム。
【請求項１３】
前記本体および前記可撓性保持キャップが、フッ化シリコン材料製であることを特徴とする請求項１０に記載の定速度継手排気システム。
【請求項１４】
前記本体および前記可撓性保持キャップがガス透過性であることを特徴とする請求項１０に記載の定速度継手排気システム。
【請求項１５】
前記本体と前記可撓性保持キャップが、ガス透過性材料と非透過性材料の組合せからなることを特徴とする請求項１０に記載の定速度継手排気システム。
【請求項１６】
前記少なくとも１つの直線的排気が１つの平坦部であることを特徴とする請求項１０に記載の定速度継手排気システム。
【請求項１７】
前記少なくとも１つの直線的排気が前記本体に沿って延び、軸方向に傾斜している請求項１０に記載の定速度継手排気システム。
【請求項１８】
前記可撓性保持キャップが雨傘形またはマッシュルーム形であることを特徴とする請求項１０に記載の定速度継手排気システム。
【請求項１９】
前記可撓性保持キャップが前記排気プレートの最外表面に対して軸方向に凹むように前記排気プレートが形成されることを特徴とする請求項１０に記載の定速度継手排気システム。  
【請求項２０】
凹部またはオフセットが、前記可撓性保持キャップの最外表面が前記排気プレートの前記最外表面にまたはその下に位置するように、前記排気開口部を含む前記排気プレートの最外表面と前記排気プレートの端部表面の間で第１の距離Ｄ1を有することを特徴とする請求項１２に記載の定速度継手排気システム。
【請求項２１】
前記凹部またはオフセットが、前記排気開口部から半径方向に、前記可撓性保持キャップの最外半径方向縁より大きく延びることを特徴とする請求項１２に記載の定速度継手排気システム。
【請求項２２】
前記凹部またはオフセットが、前記排気開口部から半径方向に、前記可撓性保持キャップの最外半径方向縁より大きく延びることを特徴とする請求項２０に記載の定速度継手排気システム。
【請求項２３】
円筒状の外表面と、第１の端部と、第２の端部を有する本体と、
前記外表面に形成され、前記第１の端部から第２の端部に延びる少なくとも１つの直線状排気であって、前記外表面は前記第１の端部に隣接して位置する環状リップと、その環状リップと前記第２の端部の間に位置する環状チャネルと、前記環状リップ上に位置し前記環状チャネルに向かう環状係合部とを有し、排気通路が前記少なくとも１つの直線状排気と前記環状チャネルによって形成される直線状排気と、
前記本体の前記環状チャネルと前記第２の端部の間に形成され、前記環状チャネルを覆う雨傘形であり、前記環状チャネルより大きな外周を有する前記環状リップより大きな外周を有する可撓性保持キャップとを有し、
前記少なくとも１つの直線状排気が、回転力の作用の下で排気バルブを自己清掃するようにされることを特徴とする定速度継手に使用する排気バルブ。
【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】  複数の弦の弦振動信号を各弦ごとに独立して入力する入力端子と、
前記入力端子から入力される複数の弦振動信号に対し、各弦振動信号毎にピッチシフトを行なう複数のピッチシフト手段と、
前記複数のピッチシフト手段に、共通のピッチシフト量であって半音単位のピッチシフト量を設定するピッチシフト量設定手段と、
前記複数のピッチシフト手段に、相互に異なるピッチシフト量を設定するチューニング設定手段とを備え、
前記複数のピッチシフト手段それぞれが、該ピッチシフト手段に入力される入力信号を、前記ピッチシフト量設定手段で設定されたピッチシフト量と前記チューニング設定手段で設定されたピッチシフト量との合成ピッチシフト量だけピッチシフトするものであることを特徴とするピッチシフト装置。
【請求項２】  前記ピッチシフト量設定手段で設定された、前記複数のピッチシフト手段に共通の半音単位のピッチシフト量を、ギターのフレットの位置として表示する表示手段をさらに備えたことを特徴とする請求項１記載のピッチシフト装置。
【請求項３】  複数の弦の弦振動信号を各弦ごとに独立して入力する入力端子と、
前記入力端子から入力される複数の弦振動信号に対し、各弦毎に、ピッチシフト処理を含む信号処理を施す複数の処理チャンネルと、
前記入力端子からの、いずれかの弦の弦振動信号の入力を受けて、該弦に対応した処理チャンネルを、該処理チャンネルにおけるピッチシフト処理のピッチシフト量の設定用に選択するチャンネル選択手段と、
前記チャンネル選択手段で選択された処理チャンネルにおけるピッチシフト処理のピッチシフト量を設定するシフト量設定手段とを備え、
前記複数の処理チャンネルそれぞれは、該処理チャンネルに入力された弦振動信号に、前記シフト量設定手段で設定されたピッチシフト量だけピッチシフトを行なうピッチシフト処理を含む信号処理を行なうものであることを特徴とするピッチシフト装置。
【手続補正書】
【提出日】平成19年7月19日(2007.7.19)
【手続補正１】
【補正対象書類名】明細書
【補正対象項目名】特許請求の範囲
【補正方法】変更
【補正の内容】
【特許請求の範囲】
【請求項１】  複数の楽曲データと複数の広告データを記憶する記憶手段と、
ネットワークを介してユーザの要求を受信する受信手段と、
前記記憶手段に記憶されている複数の広告データの内の少なくとも１つの広告データを前記ユーザの要求に応じた楽曲データに添付する広告添付手段と、
前記広告データを添付した楽曲データを前記ネットワークを介して送信する送信手段と
を有する楽曲データ提供装置。
【請求項２】  前記受信手段は、さらに、広告主が送信する広告データを受信し、
前記記憶手段が記憶する広告データは、前記広告主が送信する広告データであり、
さらに、前記広告添付手段が前記広告主が送信する広告データを添付した場合、前記広告主に広告料を課金する広告主課金手段を有する請求項１記載の楽曲データ提供装置。
【請求項３】  さらに、前記送信手段が、前記ユーザの要求に応じて楽曲データを送信する際に、前記ユーザに対して楽曲データ料金を課金するユーザ課金手段を有し、
前記広告添付手段は、前記ユーザが広告データの添付を希望するか否かを問い合わせ、前記ユーザが広告データの添付を希望した場合に広告を添付し、
前記ユーザ課金手段は、前記広告添付手段が広告データを添付した場合は、前記楽曲データ料金から一定額を減額した料金を課金する請求項２記載の楽曲データ提供装置。
【請求項４】  前記広告データは広告を表示するための広告表示データを含み、
前記送信手段は、前記広告データを前記楽曲データより先に送信する請求項１から３のいずれかに記載の楽曲データ提供装置。
【請求項５】  ネットワークに接続されたサーバに所望の楽曲データの要求を前記ネットワークを介して送信する送信手段と、
前記サーバから送信される広告データと要求した楽曲データを前記ネットワークを介して受信する受信手段と、
前記受信した広告データに基づき広告を表示する表示手段と
前記受信した楽曲データを自動演奏する楽音発生手段と、
を有する楽曲データ受信装置。
【請求項６】  前記広告データは広告を表示するための広告表示データを含み、
さらに、前記受信手段に前記広告表示データを含む広告データを前記楽曲データより先に受信させ、前記受信手段が前記楽曲データを受信中に、前記表示手段に前記広告表示データを表示させる広告制御部を有する請求項５記載の楽曲データ受信装置。
【請求項７】  前記表示手段は、前記楽音発生手段が前記楽曲データを発音中に、前記広告表示データを表示する請求項６に記載の楽曲データ受信装置。
【請求項８】  前記広告データはさらに広告楽曲データを含み、
前記楽音発生手段は、前記受信手段が前記楽曲データを受信中に、前記広告楽曲データを発音する請求項６又は７に記載の楽曲データ受信装置。
【請求項９】  複数の楽曲データと複数の広告データを記憶する記憶手段と、ネットワークを介してユーザの要求を受信する受信手段と、前記記憶手段に記憶されている複数の広告データの内の少なくとも１つの広告データを前記ユーザの要求に応じた楽曲データに添付する広告添付手段と、前記広告データを添付した楽曲データを前記ネットワークを介して送信する送信手段とを有する楽曲データ提供装置と、
前記楽曲データ提供装置に所望の楽曲データの要求を前記ネットワークを介して送信する送信手段と、前記楽曲データ提供装置から送信された広告データと要求した楽曲データを前記ネットワークを介して受信する受信手段と、前記受信した広告データに基づき広告を表示する表示手段と、前記受信した楽曲データを自動演奏する楽音発生手段とを有する楽曲データ受信装置と、
を有する楽曲データ提供システム。
【請求項１０】  前記楽曲データ提供装置の受信手段は、さらに、広告主が送信する広告データを受信し、前記楽曲データ提供装置の記憶手段が記憶する広告データは、前記広告主が送信する広告データであり、
前記楽曲データ提供装置は、さらに、前記広告添付手段が前記広告主が送信する広告データを添付した場合、前記広告主に広告料を課金する広告主課金手段を有する請求項９記載の楽曲データ提供システム。
【請求項１１】  前記楽曲データ提供装置は、さらに、前記送信手段が、前記ユーザの要求に応じて楽曲データを送信する際に、前記ユーザに対して楽曲データ料金を課金するユーザ課金手段を有し、
前記広告添付手段は、前記ユーザが広告データの添付を希望するか否かを問い合わせ、前記ユーザが広告データの添付を希望した場合に広告を添付し、
前記ユーザ課金手段は、前記広告添付手段が広告データを添付した場合は、前記楽曲データ料金から一定額を減額した料金を課金する請求項１０記載の楽曲データ提供システム。
【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】  施設内でタグ番号が付与された電子タグを入場者に発行するタグ発行手段と、
該施設内の予め決めた場所に配置され、該電子タグのタグ番号を検知すると、該電子タグを所持した入場者の写真撮影をする撮影手段と、
該電子タグのタグ番号を照合して、写真の引換券を提供するチェックアウト手段と
を備えたことを特徴とする娯楽施設のサービスシステム。
【請求項２】  請求項１において、
夫々の前記撮影手段で撮影した写真情報を前記タグ番号毎にファイルして格納するデータベースを備え、
該データベースは、前記タグ番号をもとにアクセス可能であって、前記入場者に前記撮影手段で撮影された写真を提供できるようにしたことを特徴とする娯楽施設のサービスシステム。
【請求項３】  請求項１または２のいずれか１つにおいて、
前記タグ番号は、入場日や該入場日での入場順序などの情報からなって、同伴者の前記電子タグには、入場日と入場順序とが等しいタグ番号が付与され、
前記電子タグは、前記タグ発行手段により、前記タグ番号のほかに、前記施設の前記撮影手段で撮影される写真の受け取り方法，受け取り方法が写真情報の端末へのダウンロードであるときの電子メールのアドレス，受け取り方法が持ち帰りである場合の写真受取人の氏名，受け取り方法が郵送である場合の写真受取人の住所と氏名などの付加情報が書き込まれており、
前記チェックアウト手段が、該付加情報に基づいて、前記撮影手段で撮影した写真の提供方法を決めることを特徴とする娯楽施設のサービスシステム。
【請求項４】  請求項１，２または３のいずれか１つにおいて、
前記施設の出口ゲートに、前記電子タグを所持した退場者が通るとき、この電子タグを検知して警告音を発生する警告手段を設けたことを特徴とする娯楽施設のサービスシステム。
【請求項５】  電子タグを、そのタグ番号を付与して、施設の入場者に発行するタグ発行手段と、
該施設内のアトラクション会場やレストランなどの利用設備に対して予約をするための予約手段と、
該入場者の該施設からの退場時に該電子タグを回収するタグ回収手段と
を該施設内に適宜配置し、
該予約手段は、該電子タグのタグ番号が提示されることにより、該各利用設備での利用状況や予約状況を提供し、かつ所望とする該利用設備が選択されることによって該タグ番号を登録し、選択された該利用設備での予約を登録した該タグ番号に対する行なうことを特徴とする娯楽施設のサービスシステム。
【請求項６】  請求項５において、
前記予約手段は、選択された前記利用設備の予約可能な時間帯を提示することを特徴とする娯楽施設のサービスシステム。
【請求項７】  電子タグを、そのタグ番号を付与して、施設の入場者に発行し、同伴の複数の入場者に発行する該電子タグに同一タグ番号を付与するようにしたタグ発行手段と、
該電子タグのタグ番号を読み取って、読み取った該タグ番号の該電子タグの該施設内での現在位置を示す地図を表示画面に表示する位置検索手段と
を該施設内に適宜配置し、
該位置検索手段は、他の位置で配置される該位置検出手段が読み取ったタグ番号の位置情報も受信し、同じタグ番号の複数の電子タグの現在位置を該表示画面で表示される同じ地図上に表示することを特徴とする娯楽施設のサービスシステム。
【請求項８】  施設の入場者にタグ番号を付与した電子タグを発行し、該電子タグによって該施設でのサービスを該入場者に提供する娯楽施設のサービスシステムにおいて、
該施設の会員毎に体験したアトラクションや未体験のアトラクションに関する情報を来歴情報として格納したサーバと、
該会員による外部端末からの要求に応じて、該サーバに格納された該会員に該当する該来歴情報を該外部端末に提供する手段と
を設けたことを特徴とする娯楽施設のサービスシステム。
【請求項９】  請求項８において、
前記来歴情報は、前記会員による前記施設の過去の利用日や利用回数，利用した設備に関する情報を含むことを特徴とする娯楽施設のサービスシステム。
【請求項１０】  施設の入場者にタグ番号を付与した電子タグを発行し、該電子タグによって該施設でのサービスを該入場者に提供する娯楽施設のサービスシステムにおいて、
外部端末からの該施設の利用予約の申込みに際しての該施設までの交通手段の申告に対し、該交通手段に合わせた該施設までの経路を示す地図情報を該外部端末に提供する手段を備えたことを特徴とする娯楽施設のサービスシステム。
【請求項１１】  請求項１０において、
前記外部端末からの前記施設の利用予約の申込みに対し、この申込みを行なう顧客に発行する前記電子タグのタグ番号を記載したタグ引換券を発行する手段を備えたことを特徴とする娯楽施設のサービスシステム。
【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】
画像を表示するディスプレイと、
操作者がタッチした前記ディスプレイ上の位置を検出するタッチパネルと、
前記タッチパネルにより検出した前記操作者がタッチしたディスプレイ上の位置に沿った軌跡を擬似的に描画した画像として生成し、該画像を前記ディスプレイに表示する制御を行う制御手段とを備え、
前記ディスプレイに表示される画像は、前記操作者が前記タッチパネルに指で接触することにより擬似的に描画を行うための描画領域と、前記描画領域に描画したものを消去する指示を行うための消去指定領域と、前記操作者が擬似的に描画する色を指定するための色指定領域とが含まれており、
前記制御手段は、前記色指定領域及び前記消去領域のそれぞれが、上下左右方向にある周期および揺動幅で揺動する画像を生成し、前記ディスプレイに表示させる制御を行う、電子装置。
【請求項２】
前記制御手段は、前記操作者が前記ディスプレイにタッチして選択した前記色指定領域又は前記消去領域を前記タッチパネルによる位置検出に基づき特定し、特定した前記色指定領域又は前記消去領域を奥行き方向に回転させた画像を生成して、前記ディスプレイに表示させる制御を行う、請求項１に記載の電子装置。
【請求項３】
画像を表示するディスプレイと、
操作者がタッチした前記ディスプレイ上の位置を検出するタッチパネルと、
前記タッチパネルにより検出した前記操作者がタッチしたディスプレイ上の位置に沿った軌跡を擬似的に描画した画像として生成し、該画像を前記ディスプレイに表示する制御を行う制御手段とを備え、
前記ディスプレイに表示される画像は、前記操作者が前記タッチパネルに指で接触することにより擬似的に描画を行うための描画領域と、前記操作者が擬似的に描画する色の種類を選択指定するための複数の色指定領域とが含まれており、
前記制御手段は、前記複数の色指定領域のそれぞれが、互いに独立して上下左右方向にある周期および揺動幅で揺動する画像を生成して前記ディスプレイに表示させる制御を行い、前記操作者が前記ディスプレイに表示された前記複数の色指定領域のうちから選択したいずれかの色指定領域を指定する入力があったときに、前記タッチパネルによる位置検出に基づき、前記操作者が前記描画領域にタッチしたまま連続して前記複数の色指定領域のいずれかの色指定領域にタッチしているものと判定した場合は、前記操作者が前記色指定領域にタッチしたことによる色指定を無効とし、前記操作者が前記描画領域から指を離してから前記複数の色指定領域のうちから選択したいずれかの色指定領域にタッチしたと判定した場合には、前記操作者が前記色指定領域にタッチしたことによる色指定を有効なものとし、前記操作者が前記ディスプレイにタッチして選択した前記色指定領域を奥行き方向に回転させた画像を生成して、前記ディスプレイに表示させる制御を行う、電子装置。
【請求項４】
画像を表示するディスプレイと、操作者がタッチした前記ディスプレイ上の位置を検出するタッチパネルと、前記タッチパネルにより検出した前記操作者がタッチしたディスプレイ上の位置に沿った軌跡を擬似的に描画した画像として生成し、該画像を前記ディスプレイに表示する制御を行う制御手段とを備えた電子装置の画像表示制御方法であって、
前記ディスプレイに表示される画像は、前記操作者が前記タッチパネルに指で接触することにより擬似的に描画を行うための描画領域と、前記描画領域に描画したものを消去する指示を行うための消去指定領域と、前記操作者が擬似的に描画する色を指定するための色指定領域とが含まれており、
前記制御手段は、前記色指定領域及び前記消去領域のそれぞれが、上下左右方向にある周期および揺動幅で揺動する画像を生成し、前記ディスプレイに表示させる制御を行う、電子装置の画像表示制御方法。
【請求項５】
前記制御手段は、前記操作者が前記ディスプレイにタッチして選択した前記色指定領域又は前記消去領域を前記タッチパネルによる位置検出に基づき特定し、特定した前記色指定領域又は前記消去領域を奥行き方向に回転させた画像を生成して、前記ディスプレイに表示させる制御を行う、請求項４に記載の電子装置の画像表示制御方法。
【請求項６】
画像を表示するディスプレイと、操作者がタッチした前記ディスプレイ上の位置を検出するタッチパネルと、前記タッチパネルにより検出した前記操作者がタッチしたディスプレイ上の位置に沿った軌跡を擬似的に描画した画像として生成し、該画像を前記ディスプレイに表示する制御を行う制御手段とを備えた電子装置の画像表示制御方法であって、
前記ディスプレイに表示される画像は、前記操作者が前記タッチパネルに指で接触することにより擬似的に描画を行うための描画領域と、前記操作者が擬似的に描画する色の種類を選択指定するための複数の色指定領域とが含まれており、
前記制御手段は、前記複数の色指定領域のそれぞれが、互いに独立して上下左右方向にある周期および揺動幅で揺動する画像を生成して前記ディスプレイに表示させる制御を行い、前記操作者が前記ディスプレイに表示された前記複数の色指定領域のうちから選択したいずれかの色指定領域を指定する入力があったときに、前記タッチパネルによる位置検出に基づき、前記操作者が前記描画領域にタッチしたまま連続して前記複数の色指定領域のいずれかの色指定領域にタッチしているものと判定した場合は、前記操作者が前記色指定領域にタッチしたことによる色指定を無効とし、前記操作者が前記描画領域から指を離してから前記複数の色指定領域のうちから選択したいずれかの色指定領域にタッチしたと判定した場合には、前記操作者が前記色指定領域にタッチしたことによる色指定を有効なものとし、前記操作者が前記ディスプレイにタッチして選択した前記色指定領域を奥行き方向に回転させた画像を生成して、前記ディスプレイに表示させる制御を行う、電子装置の画像表示制御方法。
【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】コンテンツ評価方法および情報処理装置
【手続補正２】
【補正対象書類名】明細書
【補正対象項目名】特許請求の範囲
【補正方法】変更
【補正の内容】
【特許請求の範囲】
【請求項１】  ユーザの操作内容を示す第１の情報を取得する第１の取得ステップと、
前記操作の対象となるコンテンツに関する第２の情報を取得する第２の取得ステップと、
前記第１の取得ステップの処理により取得された前記第１の情報、および、前記第２の取得ステップの処理により取得された前記第２の情報が、関連付けられて記録されるように、前記第１の情報および前記第２の情報の記録を制御する第１の記録制御ステップと、
前記第１の記録制御ステップの処理により記録が制御された前記第１の情報および前記第２の情報を基に、所定の評価項目に基づいて前記ユーザの操作内容を前記コンテンツごとに数値化する数値化ステップと、
前記数値化ステップの処理による数値化結果の記録を制御する第２の記録制御ステップと
を含むことを特徴とするコンテンツ評価方法。
【請求項２】  前記数値化ステップの処理では、前記評価項目毎に定められた所定の関数を用いて前記評価項目ごとの前記ユーザの操作内容を数値化する
ことを特徴とする請求項１に記載のコンテンツ評価方法。
【請求項３】  前記数値化ステップの処理では、前記評価項目の重要度に基づいて定められた所定の係数を用いて前記ユーザの操作内容を数値化する
ことを特徴とする請求項１に記載のコンテンツ評価方法。
【請求項４】  前記評価項目には、前記コンテンツの視聴中の操作数が含まれている
ことを特徴とする請求項１に記載のコンテンツ評価方法。
【請求項５】  前記評価項目には、前記コンテンツの視聴中の音量調整の有無が含まれている
ことを特徴とする請求項１に記載のコンテンツ評価方法。
【請求項６】  前記評価項目には、前記コンテンツの終了時刻を含む所定の時間における操作の有無が含まれている
ことを特徴とする請求項１に記載のコンテンツ評価方法。
【請求項７】  前記評価項目には、前記コンテンツに対する録画操作の有無が含まれている
ことを特徴とする請求項１に記載のコンテンツ評価方法。
【請求項８】  前記評価項目には、前記コンテンツ視聴中の一時停止操作の有無が含まれている
ことを特徴とする請求項１に記載のコンテンツ評価方法。
【請求項９】  前記第１の記録制御ステップの処理により記録が制御された前記第１の情報および前記第２の情報を基に、前記コンテンツの全放送時間に対する視聴時間率を算出する算出ステップを更に含み、
前記評価項目には、前記算出ステップの処理により算出された視聴時間率が含まれている
ことを特徴とする請求項１に記載のコンテンツ評価方法。
【請求項１０】  前記第１の記録制御ステップの処理により記録が制御された前記第１の情報および前記第２の情報を基に、前記コンテンツの視聴時間を算出する算出ステップを更に含み、
前記評価項目には、前記算出ステップの処理により算出された視聴時間が含まれている
ことを特徴とする請求項１に記載のコンテンツ評価方法。
【請求項１１】  ユーザの操作内容を示す第１の情報を取得する第１の取得手段と、
前記操作の対象となるコンテンツに関する第２の情報を取得する第２の取得手段と、
前記第１の取得手段により取得された前記第１の情報、および、前記第２の取得手段により取得された前記第２の情報が、関連付けられて記録されるように、前記第１の情報および前記第２の情報を記録する第１の記録手段と、
前記第１の記録手段により記録された前記第１の情報および前記第２の情報を基に、所定の評価項目に基づいて前記ユーザの操作内容を前記コンテンツごとに数値化する数値化手段と、
前記数値化手段による数値化結果を記録する第２の記録手段と
を備えることを特徴とする情報処理装置。
【手続補正３】
【補正対象書類名】明細書
【補正対象項目名】０００１
【補正方法】変更
【補正の内容】
【０００１】
【発明の属する技術分野】
本発明は、コンテンツ評価方法および情報処理装置に関し、特に、ユーザに特別の操作を強要することなく、ユーザのコンテンツに対する興味度を精度良く求めることができるようにするコンテンツ評価方法および情報処理装置に関する。
【手続補正４】
【補正対象書類名】明細書
【補正対象項目名】００１７
【補正方法】変更
【補正の内容】
【００１７】
第１の記録制御ステップの処理により記録が制御された第１の情報および第２の情報を基に、コンテンツの視聴時間を算出する算出ステップを更に含ませることができ、評価項目には、算出ステップの処理により算出された視聴時間を含ませることができる。
本発明の情報処理装置は、ユーザの操作内容を示す第１の情報を取得する第１の取得手段と、操作の対象となるコンテンツに関する第２の情報を取得する第２の取得手段と、第１の取得手段により取得された第１の情報、および、第２の取得手段により取得された第２の情報が、関連付けられて記録されるように、第１の情報および第２の情報を記録する第１の記録手段と、第１の記録手段により記録された第１の情報および第２の情報を基に、所定の評価項目に基づいてユーザの操作内容をコンテンツごとに数値化する数値化手段と、数値化手段による数値化結果を記録する第２の記録手段とを備えることを特徴とする。
【手続補正５】
【補正対象書類名】明細書
【補正対象項目名】００１８
【補正方法】変更
【補正の内容】
【００１８】
本発明のコンテンツ評価方法および情報処理装置においては、ユーザの操作内容を示す第１の情報が取得され、操作の対象となるコンテンツに関する第２の情報が取得され、第１の情報および第２の情報が、関連付けられて記録され、記録された第１の情報および第２の情報を基に、所定の評価項目に基づいてユーザの操作内容がコンテンツごとに数値化され、数値化結果の記録が制御される。
【手続補正６】
【補正対象書類名】明細書
【補正対象項目名】０１０４
【補正方法】変更
【補正の内容】
【０１０４】
【発明の効果】
本発明のコンテンツ評価方法および情報処理装置によれば、ユーザの操作内容を示す第１の情報を取得し、操作の対象となるコンテンツに関する第２の情報を取得し、第１の情報および第２の情報を、関連付けられて記録し、記録された第１の情報および第２の情報を基に、所定の評価項目に基づいてユーザの操作内容をコンテンツごとに数値化し、数値化結果の記録を制御するようにしたので、ユーザに特別の操作を強要することなく、ユーザのコンテンツに対する興味度を精度良く求めることができる。
【手続補正書】
【提出日】平成18年12月12日(2006.12.12)
【手続補正１】
【補正対象書類名】明細書
【補正対象項目名】特許請求の範囲
【補正方法】変更
【補正の内容】
【特許請求の範囲】
【請求項１】
コンピュータであって、
少なくとも１個の電気コネクターポートと、
前記ポートを覆い、かつ前記ポートと軸について位置が合った筐体開口部を有する外側筐体と、
前記コンピュータ上に変位可能に取り付けられたドア部材であって、前記ドア部材は複数の並進運動のための異なる動作位置を有し、該動作位置は、前記ドア部材が前記開口部内にあり、かつその外表面が前記外側筐体に外接する面と同一面をなす第１の動作位置と、前記ドア部材が前記開口部と軸について位置合わせされ、かつそこから内側に変位されている第２の動作位置と、前記ドア部材が前記開口部から軸についてずれた第３の動作位置とを含む、ドア部材と
を備えるコンピュータ。
【請求項２】
前記ドア部材は、軸方向外向きに付勢され、かつ複数の動作位置の間において手動で変位可能である請求項１記載のコンピュータ。
【請求項３】
前記ドア部材は、前記ドア部材の一端に付加される軸方向の力を前記ドア部材の対向端に伝達する力伝達部材に接続されている請求項１記載のコンピュータ。
【請求項４】
ドア部材と、
スライダ部材と、
コイルバネと
板バネと
ガイド部材と
を備えるコンピュータドアアセンブリであって、
前記ドア部材は、前面および背面を有するとともに複数個の後ろ方向に延在するドア突出部を有し、
前面および背面を有する前記スライダ部材は、該前面および背面の間に延在する複数個の開口部と、後ろ方向に延在する複数個のスライダ突出部とを備え、前記後ろ方向に延在する複数個のドア突出部は前記スライダ部材の前記複数個の開口部のうちの対応するものを貫通し、
前記コイルバネは、前記複数個のドア突出部の１個の周りに取り付けられ、かつ前記ドア部材の前記背面と前記スライダ部材の前記前面の間で捕捉され、
前記板バネは、その第１の端部が前記後ろ方向に延在するドア突出部の第１の突出部に装着され、かつ、第２の端部が前記後ろ方向に延在する複数個のスライダ突出部の１個に装着され、その中間部が、前記ドア部材の前記スライダ部材に対する後ろ方向の変位時に前記後ろ方向に延在するドア突出部の第２の突出部により弾性的に可撓係合可能であり、
前記ガイド部材は、前記複数個の後ろ方向に延在するスライダ突出部の少なくとも１個と案内可能に係合するように適合される複数個のガイド面を設けられており、
前記ドア部材は、第１の軸方向位置と第２の軸方向位置の間で前記スライダ部材に対して軸方向に変位可能であり、前記スライダ部材は、前記軸方向を横切って延在する面内において前記ガイド部材に対して変位可能である、コンピュータドアアセンブリ。
【請求項５】
前記ドア部材は周縁形および壁部を有し、前記コンピュータドアアセンブリは、前記ガイド部材に対して固定して位置し、通常平坦な前面および背面を有し、前記ドア部材と同様の周緑形および壁部を含む開口部を有する筐体をさらに備える請求項４に記載のコンピュータドアアセンブリ。
【請求項６】
前記ドア部材が、前記筐体開口部と軸について位置合わせされ、かつ前記ドア部材の前記前面が前記筐体の前記前面と同一面をなす第１の位置と、前記ドアが前記筐体開口部から軸についてずれた位置にあり、前記ドアの前記前面が前記筐体の前記背面と隣接する第２の位置とに選択的に移動する請求項４に記載のコンピュータドアアセンブリ。
【請求項７】
コンピュータドアを当接面に係合する第１の方向に移動するステップと、
前記第１の方向の変位に直交する第２の方向に前記コンピュータドアを摺動するステップと
を含む、コンピュータの内部にアクセスする方法。
【請求項８】
前記コンピュータドアを第１の方向に移動するステップは、第１の方向に延在する第２の当接面を超えて前記コンピュータドアを移動するステップを含む請求項７に記載の方法。
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
ネットワークを介して接続している端末からの要求に基づいて、前記端末にＷｅｂページを送信する情報提供装置であって、
前記端末から要求された複数のフレームを有するフレームページを生成するフレームページ生成手段を有し、
前記フレームページ生成手段は、前記端末より送信される第一のＵＲＬより、前記複数のフレームの中の所定のフレームに表示させる情報と別のフレームの態様とを特定する引数情報を取り出し、取り出された引数情報を含むロードページを生成し、生成されたロードページを前記端末に送信する第一の手段と、
前記ロードページに応じて前記端末より送信される第二のＵＲＬを受信し、前記ロードページに含まれていた引数に従って、前記フレームページを生成する第二の手段とを有することを特徴とする情報処理装置。
【請求項２】
前記第二の手段は、前記所定のフレームと関連を有する前記別のフレームが、前記所定のフレームに表示させた情報と整合がとられた態様で表示されるように前記フレームページを生成することを特徴とする請求項１記載の情報提供装置。
【請求項３】
前記所定のフレームと関連を有するフレームは、前記所定のフレームに表示させる情報の目次情報を表示させるフレームであることを特徴とする請求項２記載の情報提供装置。
【請求項４】
前記目次情報は、ツリー形式によって表示されることを特徴とする請求項１乃至３いずれか一項記載の情報提供装置。
【請求項５】
前記第二の手段は、前記第二のＵＲＬに含まれる引数情報に対応した態様で前記フレームページが表示されるように、前記フレームページを生成することを特徴とする請求項１乃至４いずれか一項記載の情報提供装置。
【請求項６】
前記第二の手段は、前記第二のＵＲＬに含まれる引数情報に対応した言語で前記フレームページが表示されるように、前記フレームページを生成することを特徴とする請求項５記載の情報提供装置。
【請求項７】
前記第二のＵＲＬに含まれる引数情報に対応した言語をサポートしていない場合は、当該情報提供装置の操作パネルの表示言語として指定されている言語で表示されるように前記フレームページを生成することを特徴とする請求項６記載の情報提供装置。
【請求項８】
前記第二の手段は、前記第二のＵＲＬに含まれる引数情報で特定されるユーザモードに対応した態様で前記フレームページが表示されるように、前記フレームページを生成することを特徴とする請求項５乃至７いずれか一項記載の情報提供装置。
【請求項９】
前記第二のＵＲＬに含まれる引数情報に基づいて前記所定のフレームに表示させる情報が決定されるように、前記フレームページの書式情報が定義された書式情報ファイルを更に有し、
前記第二の手段は、前記第二のＵＲＬに含まれる引数情報を前記書式情報ファイルに適用することによって、前記フレームページを生成することを特徴とする請求項１乃至８いずれか一項記載の情報提供装置。
【請求項１０】
所定の書式情報に従って所定の情報を前記Ｗｅｂページに変換するデータ変換手段を更に有し、
前記第二の手段は、前記データ変換手段を用いて前記フレームページを生成することを特徴とする請求項９記載の情報提供装置。
【請求項１１】
前記Ｗｅｂページを生成する複数のＷｅｂページ生成手段を更に有し、
前記データ変換手段は、前記複数のＷｅｂページ生成手段により共通に用いられることを特徴とする請求項１０記載の情報提供装置
【請求項１２】
前記書式情報ファイルは、ＸＳＬ形式のファイルであることを特徴とする請求項９乃至１１いずれか一項記載の情報提供装置。
【請求項１３】
前記第二の手段は、前記第二のＵＲＬに含まれる引数情報をＸＭＬ形式のデータに変換し、前記ＸＭＬ形式のデータを前記書式情報ファイルに適用することを特徴とする請求項１２記載の情報提供装置。
【請求項１４】
前記データ変換手段は、前記ＸＭＬ形式のデータを前記書式情報ファイルに適用してＸＳＬＴ変換を実行することにより、前記フレームページを生成することを特徴とする請求項１３記載の情報提供装置。
【請求項１５】
前記第一のＵＲＬは、パス名を含まないことを特徴とする請求項１乃至１４いずれ一項記載の情報提供装置。
【請求項１６】
前記第一のＵＲＬに含まれる引数情報を電子メールによって前記端末に送信することを特徴とする請求項１乃至１５いずれか一項記載の情報提供装置。
【請求項１７】
前記情報提供装置は、画像処理装置であることを特徴とする請求項１乃至１６いずれか一項記載の情報提供装置。
【請求項１８】
ネットワークを介して接続している情報提供装置にＷｅｂページの送信を要求するＷｅｂページ要求手段と、
前記Ｗｅｂページ要求手段が送信した要求に対して前記情報提供装置から送信された、複数のフレームに分割され、前記複数のフレームのうちの所定のフレームに前記要求において指定したＵＲＬに含まれる引数情報に基づいて特定される情報が表示されるフレームページを表示させる情報表示手段とを有することを特徴とする情報表示装置。
【請求項１９】
所定のＵＲＬを指定した要求に対して前記情報提供装置から送信された、前記フレームページをロードさせる命令が定義されたロードページに基づいて、前記フレームページをロードするフレームページロード手段を更に有することを特徴とする請求項１８記載の情報表示装置。
【請求項２０】
前記所定のＵＲＬは、パス名を含まないことを特徴とする請求項１９記載の情報表示装置。
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
クロック発振器から供給されるクロック信号の周波数で動作するとともに、電源回路から供給される電源電圧で動作し、前記クロック信号の周波数及び前記電源電圧を制御可能なプロセッサであって、
前記周波数と、前記電源電圧と、前記電源回路の電源効率とによって規定される、単位データ処理に対する消費エネルギがその最小値を含む所定範囲内の値となるように、前記クロック発振器が供給する周波数及び前記電源回路が供給する電源電圧を制御する
ことを特徴とするプロセッサ。
【請求項２】
前記プロセッサは、前記周波数と前記電源電圧と前記電源回路の電源効率とに基づいて、前記単位データ処理に対する消費エネルギを算出する手段と、
前記消費エネルギがその最小値を含む所定範囲内の値となるように、前記クロック発振器が供給する周波数及び前記電源回路が供給する電源電圧を制御する手段と
を備えたことを特徴とする請求項１記載のプロセッサ。
【請求項３】
前記プロセッサは、前記周波数と前記電源電圧と前記電源回路の電源効率とによって規定される消費エネルギと、所定のデータ処理とを関連づけて格納するテーブルが記録された記憶手段と、
該記憶手段に格納されたテーブルに基づき、前記消費エネルギがその最小値を含む所定範囲内の値となるように、前記クロック発振器が供給する周波数及び前記電源回路が供給する電源電圧を制御する手段と
を備えたことを特徴とする請求項１記載のプロセッサ。
【請求項４】
前記プロセッサは、前記周波数と前記電源電圧と前記電源回路の電源効率とによって規定される消費エネルギがその最小値を含む所定範囲内の値となるように、前記クロック発振器が供給する周波数及び前記電源回路が供給する電源電圧の値を設定する第１の動作モードと、第１の動作モードと異なる第２の動作モードとを有することを特徴とする請求項１記載のプロセッサ。
【請求項５】
前記プロセッサは、前記電源回路に接続される電池の状態をモニタし、前記電池の状態に応じて前記動作モードを切替える、ことを特徴とする請求項４記載のプロセッサ。
【請求項６】
前記プロセッサは、前記第１の動作モードにおいて設定される周波数及び電源電圧の値を前記電源回路の温度に応じて変更する、ことを特徴とする請求項４記載のプロセッサ。
【請求項７】
前記プロセッサは、ダウンロード処理、静止画の表示処理、撮影した画像の記録処理等の所定の処理を行うときにのみ前記第１の動作モードで動作する、ことを特徴とする請求項４記載のプロセッサ。
【請求項８】
クロック発振器と、
電源回路と、
請求項１ないし７のいずれか１つに記載のプロセッサと
を含むことを特徴とする電子情報機器。
【請求項９】
クロック発振器から供給されるクロック信号の周波数で動作するとともに、電源回路から供給される電源電圧で動作し、前記クロック信号の周波数及び前記電源電圧を制御可能なプロセッサの駆動方法であって、
前記周波数と、前記電源電圧と、前記電源回路の電源効率とによって規定される、単位データ処理に対する消費エネルギが最小値又はその最小値を含む所定範囲内の値となるように、前記クロック発振器が供給する周波数及び前記電源回路が供給する電源電圧を制御する
ことを特徴とするプロセッサの駆動方法。
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
コンピュータにより実行され、情報の永続性に依存しないレンダリングを提供する方法であって、
事前定義されたデータ構造を有するデータを提供するステップと、
永続的なデータフォーマットに依存しないレンダリングを生み出す事前定義されたデータフォーマットに従って前記データを変換するステップであって、前記データの２進数変換を実行するステップと、
前記永続的なデータフォーマットに依存しないレンダリングに対してクエリを実行するステップと
を備えたことを特徴とする方法。
【請求項２】
前記データについてのスキーマを提供するステップをさらに備えたことを特徴とする請求項１に記載の方法。
【請求項３】
前記永続的なデータフォーマットに依存しないレンダリングに作用してレンダリング特有データを生成するレンダリングモジュールを提供するステップをさらに備えたことを特徴とする請求項２に記載の方法。
【請求項４】
いくつかの事前定義された解析ステップに従って前記データを解析するステップをさらに備えたことを特徴とする請求項１に記載の方法。
【請求項５】
請求項１に記載の方法を実施するようコンピュータに命令するためのコンピュータ読取り可能命令が記録されていることを特徴とするコンピュータ読取り可能記録媒体。
【請求項６】
情報の永続性に依存しないレンダリングを提供するシステムであって、
関連付けられたデータ構造を有するデータを含むデータソースと、
前記データソースに作用して永続的なデータフォーマットに依存しないレンダリングを生成する処理モジュールであって、前記永続的なデータフォーマットに依存しないレンダリングは、様々なレンダリング特有環境で機能し、前記データの２進数変換を実行して前記永続的なデータフォーマットに依存しないレンダリングに変換する処理モジュールと、
前記情報の永続性に依存しないレンダリングに作用して、レンダリング特有環境と通信するレンダリングモジュールと
を備えたことを特徴とするシステム。
【請求項７】
前記関連するデータ構造は、スキーマを含むことを特徴とする請求項６に記載のシステム。
【請求項８】
コンピューティング環境を含むことを特徴とする請求項６に記載のシステム。
【請求項９】
前記データは、レポートデータを含むことを特徴とする請求項６に記載のシステム。
【請求項１０】
前記レポートデータは、スキーマ化されたクエリできるデータソースを含むことを特徴とする請求項９に記載のシステム。
【請求項１１】
前記レポートデータは、少なくとも１つのレポート定義に従って集約されることを特徴とする請求項１０に記載のシステム。
【請求項１２】
コンピューティング環境において、永続的なデータフォーマットに依存しないレンダリングを提供する方法であって、
スキーマ定義を含むデータを受け取ること、
少なくとも１つの事前定義された解析規則に従って前記データを解析すること、および、
前記解析されたデータを永続的なデータフォーマットに依存しないレンダリングに変換することであって、前記解析されたデータの２進数変換を実行すること、
前記永続的なデータフォーマットに依存しないレンダリングに対してクエリを実行すること
を備えたことを特徴とする方法。
【請求項１３】
請求項１２に記載の方法を実施するようコンピュータに命令するためのコンピュータ読取り可能命令が記録されていることを特徴とするコンピュータ読取り可能記録媒体。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
通信ネットワークを介して接続された複数のゲーム装置間で通信ゲームを行うように構成されたゲーム装置であって、
前記ゲーム装置は、ゲームプログラムが格納された第１の記録媒体から前記ゲームプログラムを読み出して前記プログラムを実行し、プレイヤによるコントローラ上の操作に応答してゲームの進行を制御し、さらに着脱可能に装着された第２の記録媒体に記録されたゲーム進行状況のデータを読み出し、当該読み出されたデータを参照して当該記録されたゲーム進行状況からゲームが開始されるように構成されており、
前記ゲーム装置が前記通信ネットワークに接続されているとき、前記第２の記録媒体に格納されているゲーム進行状況のデータを前記ゲーム装置内のＲＡＭに読み出し保存するとともに前記第２の記録媒体から格納されているゲーム進行状況のデータを消去し、
前記ＲＡＭに保存されている前記ゲーム進行状況のデータを前記通信ゲームの処理に応じて更新し、
前記通信ゲームを終了させ、前記ＲＡＭから更新された前記ゲーム進行状況のデータを、前記ゲーム装置の固有の情報と関連付けて前記第２の記録媒体に移動させる、
ことを実行するように構成されたゲーム装置。
【請求項２】
通信ネットワークを介して接続された複数のゲーム装置間で通信ゲームを行うように構成されたゲーム装置におけるセーブデータの管理方法であって、
前記ゲーム装置が
（ａ）ゲームプログラムが格納された第１の記録媒体から前記ゲームプログラムを読み出して前記プログラムを実行し、
（ｂ）プレイヤによるコントローラ上の操作に応答してゲームの進行を制御し、
（ｃ）着脱可能に装着された第２の記録媒体に記録されたゲーム進行状況のデータを読み出し、当該読み出されたデータを参照して当該記録されたゲーム進行状況からゲームを開始させ、
（ｄ）当該ゲーム装置と前記通信ネットワークとが接続されているとき、前記第２の記録媒体に格納されているゲーム進行状況のデータを前記ゲーム装置内のＲＡＭに読み出し保存するとともに前記第２の記録媒体から格納されているゲーム進行状況のデータを消去し、
（ｅ）前記ＲＡＭに保存されている前記ゲーム進行状況のデータを前記通信ゲームの処理に応じて更新し、
（ｆ）前記通信ゲームを終了させ、前記ＲＡＭから更新された前記ゲーム進行状況のデータを、前記ゲーム装置の固有の情報と関連付けて前記第２の記録媒体に移動させる、
ゲーム装置におけるセーブデータの管理方法。
【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
印刷環境の共用に係るサービスを提供する印刷環境共用サービス提供手段を有する印刷環境共用サービス提供装置であって、
前記印刷環境共用サービス提供手段は、
印刷場所を検索する検索手段と、
印刷の予約に係る予約情報及び／又は文書を、他の印刷環境共用サービス提供手段に転送する転送手段と
を有することを特徴とする印刷環境共用サービス提供装置。
【請求項２】
前記検索手段は、前記印刷場所までの経路に係る経路情報を取得する経路情報取得手段を有することを特徴とする請求項１記載の印刷環境共用サービス提供装置。
【請求項３】
前記検索手段は、印刷環境共用サービス提供手段間の参照関係に係るデータを含むサービスデータを他の印刷環境共用サービス提供手段より取得するサービスデータ取得手段を有する、
ことを特徴とする請求項１記載の印刷環境共用サービス提供装置。
【請求項４】
前記予約情報は、前記文書を特定する文書識別情報と、前記文書の利用を許可する文書利用許可情報とを含む、
ことを特徴とする請求項１乃至３何れか一項記載の印刷環境共用サービス提供装置。
【請求項５】
前記予約情報は、前記印刷場所を特定する印刷場所識別情報と、前記印刷場所までの経路情報とを含む、
ことを特徴とする請求項１乃至４何れか一項記載の印刷環境共用サービス提供装置。
【請求項６】
前記予約情報は、印刷を行う印刷装置を特定する印刷装置識別情報を含むこと、
を特徴とする請求項１乃至５何れか一項記載の印刷環境共用サービス提供装置。
【請求項７】
前記予約情報は、印刷条件を含む、
ことを特徴とする請求項１乃至６何れか一項記載の印刷環境共用サービス提供装置。
【請求項８】
前記印刷環境共用サービス提供手段は、要求に応じて、当該印刷環境共用サービス提供手段が参照可能な他の印刷環境共用サービス提供手段に係るデータを含むサービスデータに、接続要求元の印刷環境共用サービス提供手段に係るデータを追加するデータ追加手段を更に有する、
ことを特徴とする請求項１乃至７何れか一項記載の印刷環境共用サービス提供装置。
【請求項９】
前記印刷環境共用サービス提供手段は、要求に応じて、当該印刷環境共用サービス提供手段が参照可能な他の印刷環境共用サービス提供手段に係るデータを含むサービスデータから、切断要求元の印刷環境共用サービス提供手段に係るデータを削除するデータ削除手段を更に有する、
ことを特徴とする請求項１乃至８何れか一項記載の印刷環境共用サービス提供装置。
【請求項１０】
前記サービスデータには、前記印刷環境共用サービス提供手段間の関係において、上位又は同位又は下位の設定が可能である、
ことを特徴とする請求項３乃至９何れか一項記載の印刷環境共用サービス提供装置。
【請求項１１】
当該印刷環境共用サービス提供手段と他の印刷サービス提供手段との参照関係に係るデータを含むサービスデータを格納するサービスデータ格納手段を更に有する、
ことを特徴とする請求項１乃至１０何れか一項記載の印刷環境共用サービス提供装置。
【請求項１２】
前記印刷環境共用サービス提供手段は、前記文書を取得する文書取得手段を更に有する、
ことを特徴とする請求項１乃至１１何れか一項記載の印刷環境共用サービス提供装置。
【請求項１３】
前記印刷環境共用サービス提供手段は、印刷装置に係るデータを含む印刷装置データを取得する印刷装置データ取得手段を更に有する、
ことを特徴とする請求項１乃至１２何れか一項記載の印刷環境共用サービス提供装置。
【請求項１４】
前記印刷装置データは、印刷環境の共用に係るサービスを提供する印刷環境共用サービス提供手段において管理されている、
ことを特徴とする請求項１３記載の印刷環境共用サービス提供装置。
【請求項１５】
前記印刷装置データは、印刷に係るサービスを提供する印刷サービス提供手段において管理されている、
ことを特徴とする請求項１３記載の印刷環境共用サービス提供装置。
【請求項１６】
前記印刷装置データを格納する印刷装置データ格納手段を更に有する、
ことを特徴とする請求項１３又は１４記載の印刷環境共用サービス提供装置。
【請求項１７】
前記印刷環境共用サービス提供手段は、印刷装置の機能に係る機能情報を取得する機能情報取得手段を更に有する、
ことを特徴とする請求項１乃至１６何れか一項記載の印刷環境共用サービス提供装置。
【請求項１８】
印刷環境の共用に係るサービスを提供する印刷環境共用サービス提供手段における印刷環境共用サービス提供方法であって、
前記印刷環境共用サービス提供手段の検索手段が、印刷場所を検索する検索段階と、
前記印刷環境共用サービス提供手段の転送手段が、印刷の予約に係る予約情報及び／又は文書を、他の印刷環境共用サービス提供手段に転送する転送段階と、
を有することを特徴とする印刷環境共用サービス提供方法。
【請求項１９】
請求項１８記載の印刷環境共用サービス提供方法をコンピュータに実行させるための印刷環境共用サービス提供プログラム。
【請求項２０】
請求項１９記載の印刷環境共用サービス提供プログラムを記録したコンピュータ読み取り可能な記録媒体。
【手続補正２】
【補正対象書類名】明細書
【補正対象項目名】００１７
【補正方法】変更
【補正の内容】
【００１７】
また、本発明は、印刷環境の共用に係るサービスを提供する印刷環境共用サービス提供手段を有する印刷環境共用サービス提供装置における印刷環境共用サービス提供方法であって、印刷環境共用サービス提供手段の検索手段が、印刷場所を検索する検索段階と、印刷環境共用サービス提供手段の転送手段が、印刷の予約に係る予約情報及び／又は文書を、他の印刷環境共用サービス提供手段に転送する転送段階とを有することを特徴とする。